(57)【要約】【課題】電気使用量を削減しつつ、不純物が除去された撚線導体の製造を可能にし、また撚り合わせの際の不純物による悪影響を無くすことができる不純物除去機構を提供する。【解決手段】回転する主軸１１によって複数の素線導体１２を撚り合わせる撚線機１３に設けられ、素線導体１２に付着した不純物を除去する不純物除去機構１０であって、主軸１１の入線側先端部１４に取り付けられ、撚線機１３の撚口部１５に気流を発生させる羽根部１７と、羽根部１７で発生させた気流を素線導体１２に向けて整流するフード１８と、を備えるものである。【選択図】図１
2014093281.tif 000002
【特許請求の範囲】
【請求項１】
回転する主軸によって複数の素線導体を撚り合わせる撚線機に設けられ、前記素線導体に付着した不純物を除去する不純物除去機構であって、
前記主軸の入線側先端部に取り付けられ、前記撚線機の撚口部に気流を発生させる羽根部と、
前記羽根部で発生させた気流を前記素線導体に向けて整流するフードと、
を備えることを特徴とする不純物除去機構。
【請求項２】
前記羽根部と前記フードとが一体に形成される請求項１に記載の不純物除去機構。
【請求項３】
前記羽根部と前記主軸の前記入線側先端部とが一体に形成される請求項１に記載の不純物除去機構。
【請求項４】
前記羽根部は、ステンレス又はポリカーボネートで形成される請求項１〜３のいずれかに記載の不純物除去機構。
【発明の詳細な説明】
【技術分野】
【０００１】
本発明は、素線導体に付着した不純物を除去する不純物除去機構に関する。
【背景技術】
【０００２】
従来、複数の素線導体を撚り合わせてなる撚線導体に付着した埃やめっきカス等の不純物は、図５に示すように、アルコール等の洗浄液５１が入った浴槽５２内に撚線導体５３をドブ付けする方式や、洗浄液を染み込ませた吸収体で撚線導体を拭き取る方式によって除去していた。
【先行技術文献】
【特許文献】
【０００３】
【特許文献１】実開平７−１８３２３号公報
【発明の概要】
【発明が解決しようとする課題】
【０００４】
これらの方式では、撚り工程を経て製造され巻き取られた撚線導体を、不純物を除去するために再び送り出し、不純物を除去した後に再び巻き取るという巻替作業を含む不純物除去工程が撚り工程とは別に必要になる。
【０００５】
そのため、生産性の悪化、リードタイムの増加、撚線導体の送り出しや巻き取りを行う巻替機を稼働させるための電気使用量の増加が生じ、またアルコール等の洗浄液を使用するため揮発性有機化合物（Volatile Organic Compounds；ＶＯＣ）排出量が削減できないという問題があった。
【０００６】
これらの方式の他にも、撚線機中にエアノズルを設け、製造された直後の撚線導体に圧縮空気を吹き付けて不純物を除去する方式が知られている（例えば、特許文献１参照）。
【０００７】
この方式によれば、生産性の悪化やリードタイムの増加が生じることはないが、圧縮空気を作り出すためにコンプレッサ等の機器が別に必要になり、機器を稼働させるための電気使用量が増加する問題は解決できない。
【０００８】
また、前述した全ての方式は、撚線導体を製造した後に不純物を除去するものであり、撚り工程前に素線導体に付着した不純物を除去するものでないため、素線導体に付着した不純物が撚り工程に悪影響を及ぼすことも懸念される。
【０００９】
そこで、本発明の目的は、電気使用量を削減しつつ、不純物が除去された撚線導体の製造を可能にし、また撚り合わせの際の不純物による悪影響を無くすことができる不純物除去機構を提供することにある。
【課題を解決するための手段】
【００１０】
この目的を達成するために創案された本発明は、回転する主軸によって複数の素線導体を撚り合わせる撚線機に設けられ、前記素線導体に付着した不純物を除去する不純物除去機構であって、前記主軸の入線側先端部に取り付けられ、前記撚線機の撚口部に気流を発生させる羽根部と、前記羽根部で発生させた気流を前記素線導体に向けて整流するフードと、を備える不純物除去機構である。
【００１１】
前記羽根部と前記フードとが一体に形成されると良い。
【００１２】
前記羽根部と前記主軸の前記入線側先端部とが一体に形成されても良い。
【００１３】
前記羽根部は、ステンレス又はポリカーボネートで形成されると良い。
【発明の効果】
【００１４】
本発明によれば、電気使用量を削減しつつ、不純物が除去された撚線導体の製造を可能にし、また撚り合わせの際の不純物による悪影響を無くすことができる不純物除去機構を提供することができる。
【図面の簡単な説明】
【００１５】
【図１】本発明を適用する撚線機を示す模式図である。
【図２】本発明の実施の形態に係る不純物除去機構を示す模式図である。
【図３】本発明の変形例に係る不純物除去機構を示す模式図である。
【図４】本発明の変形例に係る不純物除去機構を示す模式図である。
【図５】従来技術に係る不純物除去工程について説明する図である。
【発明を実施するための形態】
【００１６】
以下、本発明の好適な実施の形態を添付図面にしたがって説明する。
【００１７】
図１及び２に示すように、本実施の形態に係る不純物除去機構１０は、回転する主軸１１によって複数の素線導体１２を撚り合わせる撚線機１３に設けられ、素線導体１２に付着した不純物を除去するものであり、主軸１１の入線側先端部１４に取り付けられ、撚線機１３の撚口部１５に気流１６を発生させる羽根部１７と、羽根部１７で発生させた気流１６を素線導体１２に向けて整流するフード１８と、を備えることを特徴とする。
【００１８】
主軸１１は、例えば、２０００ｒｐｍ程度で高速回転し、撚口部１５から入線されてきた複数の素線導体１２を撚り合わせて撚線導体１９とするための主機構である。この主軸１１の回転数（回転速度）は、主軸１１の入線側先端部１４に取り付けられた羽根部１７が、素線導体１２に付着した不純物を除去するのに十分な流速の気流１６を発生させることができるように設定される。
【００１９】
撚線機１３としては、主軸１１が回転することで複数の素線導体１２を撚り合わせて撚線導体１９を製造するものであれば、如何なる型のものにも適用可能であるが、十分な流速の気流１６を発生させる必要があることを考慮すれば、主軸１１を高速回転させることができる図１に示したバンチャー型のものが好ましい。
【００２０】
入線側先端部１４は、撚口部１５から入線されてきた複数の素線導体１２を集約する円孔ダイス２１を保持するものであり、主軸１１に着脱自在に取り付けられるものである。この円孔ダイス２１は、素線導体１２の外径や製造する撚線導体１９の外径に合わせて様々な内径のものを用いることができる。
【００２１】
羽根部１７は、主軸１１と一体に回転し、素線導体１２に付着した不純物を除去するのに十分な流量の気流１６を発生させることができるような大きさに形成されると共にその枚数が決定される。羽根部１７の形状としては、扇形形状の他、高速回転で気流１６を発生させることができるタービン羽根形状が望ましく、その取り付け方法としては、溶接やネジ留め圧入等の振動や衝撃にも耐えられる方法を用いることが望ましい。また、羽根部１７は、金属又は非金属で耐劣化性・防錆性・摩耗性等の耐性に優れたステンレス又はポリカーボネートで形成されることが好ましい。
【００２２】
フード１８は、撚口部１５の周囲を囲むように円筒状に形成されており、羽根部１７で発生させた気流１６が無駄なく素線導体１２に吹き付けられるようにし、気流１６による不純物除去効果を最大限に高めるためのものである。このフード１８は、例えば、撚線機１３の壁面に取り付けられる。
【００２３】
これまで説明してきた不純物除去機構１０によれば、主軸１１の入線側先端部１４に取り付けられた羽根部１７が撚口部１５で気流１６を発生させることで、撚口部１５に集約された素線導体１２に付着した不純物をエアワイパーの要領で除去することができる。
【００２４】
そして、不純物除去機構１０では、羽根部１７が主軸１１の入線側先端部１４に取り付けられる構成を採用しているため、主軸１１の回転を利用して羽根部１７を回転させて気流１６を発生させることができ、羽根部１７を稼働させるための原動機や気流１６を発生させるためのその他の装置を別に設けることなく、不純物を除去することができる。
【００２５】
また、不純物除去機構１０を用いることにより、撚りと不純物除去とを一つの工程で同時に行うことができるようになるため、煩雑で時間の掛かる巻替作業を廃止することが可能になる。
【００２６】
これらの理由から、従来に比べて電気使用量等のコストの大幅な削減が可能となり、またアルコール等の洗浄液を使用する必要がないのでＶＯＣ排出量を削減することが可能となる。
【００２７】
更に、不純物除去機構１０を用いることにより、撚りに先立って素線導体１２に付着した不純物を予め除去することができるため、撚り合わせの際の不純物による悪影響を無くすことができ、撚線導体１９の品質の向上及び安定化を図ることが可能となる。
【００２８】
本実施の形態では、羽根部１７が主軸１１の入線側先端部１４に溶接やネジ留め圧入等によって取り付けられるものとしたが、図３に示すように、鋳造等により羽根部１７とフード１８とが一体に形成されても良いし、図４に示すように、入線側先端部１４の先端を羽根形状に加工することにより、羽根部１７と主軸１１の入線側先端部１４とが一体に形成されても良い。
【００２９】
以上要するに、本発明によれば、電気使用量を削減しつつ、不純物が除去された撚線導体の製造を可能にし、また撚り合わせの際の不純物による悪影響を無くすことができる不純物除去機構を提供することができる。
【符号の説明】
【００３０】
１０  不純物除去機構
１１  主軸
１２  素線導体
１３  撚線機
１４  入線側先端部
１５  撚口部
１６  気流
１７  羽根部
１８  フード
１９  撚線導体
２１  円孔ダイス
【図１】
2014093281.tif 000003
【図２】
2014093281.tif 000004
【図３】
2014093281.tif 000005
【図４】
2014093281.tif 000006
【図５】
2014093281.tif 000007